(57)【要約】  【課題】製造容易で、優れた構造的強度を有する排水管用半割り部材及び排水管を提供する。  【解決手段】基体部１０は、合成樹脂材料からなり、断面円弧形状を有する。凸部１１及び凹部１２は、基体部１０の内周面１１０及び外周面１２０に備えられ、軸ａで示す方向に交互に連続し、かつ、周方向に延びている。接合面１３は、基体部１０において、径方向の両端に備えられ、かつ、外周面１２０の凹部１２を閉じる平面形状を有する。図示する接合面１３は、凸部１１及び凹部１２と直交する平板形状を有し、その面内に連結孔１４を有している。台座１５は、基体部１０の外周面上に備えられている。【選択図】      図４
2005042381.tif 000002
【特許請求の範囲】
【請求項１】
基体部と、凸部と、凹部と、接合面と、台座とを含む排水管用半割り部材であって、
前記基体部は、合成樹脂材料からなり、断面円弧形状を有し、
前記凸部及び凹部は、前記基体部の内周面及び外周面において、軸方向に交互に連続し、かつ、周方向に延びており、
前記接合面は、前記基体部において径方向の両端に備えられ、かつ、前記外周面の前記凹部を閉じる平面形状を有し、
前記台座は、前記基体部の前記外周面上に備えられている
排水管用半割り部材。
【請求項２】
請求項１に記載された排水管用半割り部材であって、さらに通水孔を有し、前記通水孔は、前記基体部の内周面から外周面に貫通している
排水管用半割り部材。
【請求項３】
少なくとも２つの排水管用半割り部材と、第１の連結具とを含む排水管であって、
前記少なくとも２つの排水管用半割り部材それぞれは、請求項１または２の何れかに記載されたものであり、
前記少なくとも２つの排水管用半割り部材は、同形状のものが用いられており、前記接合面が相対向して組み合わされて筒状体を構成しており、
前記第１の連結具は、前記接合面において、隣接する排水管用半割り部材を連結している
排水管。
【請求項４】
複数の筒状体と、第２の連結具とを含む排水管であって、
前記複数の筒状体のそれぞれは、請求項３に記載されたものでなり、軸方向に隣接して配置されており、
前記第２の連結具は、前記複数の筒状体において、それぞれ隣接する凸部を連結している
排水管。
【請求項５】
複数の筒状体と、第２の連結具とを含む排水管であって、
前記複数の筒状体のそれぞれは、請求項３に記載されたものでなり、軸方向に隣接して配置されており、
前記第２の連結具は、連結板と、楔とを含み、
前記第２の連結具は、連結板がそれぞれ軸方向に隣接する凸部に載置され、かつ、前記楔が前記凸部と前記連結板とを貫通し、軸方向に隣接する前記複数の筒状体を連結している
排水管。
【発明の詳細な説明】
【技術分野】
【０００１】
本発明は、排水管用半割り部材、排水管、及び、排水施設に関する。本発明に係る排水管用半割り部材は、例えば、雨水等を流す排水管、及び、流入した雨水等を地中に浸透させる浸透管を構成する部材として用いられる。本発明に係る排水管は、上述した半割り部材を組み合わせて構成された排水管と、浸透管とを含む。
【背景技術】
【０００２】
この種の排水管は、雨水等を流下させる排水施設に用いられる排水管と、流下過程において雨水等を地中に緩やかに排出する浸透施設に用いられる排水管とがある。この種の排水管に要求される特徴としては、まず、排水管は土中に埋設されるから、土圧等の押圧力に耐えうる優れた機械的強度を備えている必要がある。
【０００３】
次に、排水管は、家庭用の排水施設から、ゴルフ場等の大規模排水施設まで広く用いられるから、流下水量に合わせて通水断面積を自在に変更し、様々な施工条件に追従しうる構造を備える必要がある。同様に排水管は、長距離に渡って敷設されるから、長さ寸法の変更が自在で、様々な施工条件に追従しうる構造を備える必要がある。
【０００４】
長距離に渡って敷設される場合、排水管は大量に必要となる。従って、排水管は、製造コストが安価であって、かつ、容易に成形し得ることが重要となる。同様に、排水管は大量に必要となるから、嵩張ることのない態様で輸送することができなければならない。さらに、排水管は、組立又は設置作業が容易であることが望ましい。
【０００５】
例えば、この種の排水管について、従来より種々のタイプのものが提案され、実用に供されている。特許文献１は、熱可塑性樹脂からなる土中埋設用排水管であって、筒状に成形され、排水管本体の上下方向中間部両側外面に軸方向に連続した上面を持つ段部を備えてなる排水管を開示している。
【０００６】
しかし、特許文献１に記載の従来技術は、上述した問題点を充分に解決しているとはいえない。特に、合成樹脂材料を筒状に成形する方法としては、一般に押出成形が行われているが、押出成形には多大な設備投資が必要である。また、排水管が筒状に成形されている場合、施工現場までの運搬に多大な費用と労力とを要することなる点で不都合を回避できない。
【特許文献１】特開平６−１０８５２２号公報
【発明の開示】
【発明が解決しようとする課題】
【０００７】
本発明の課題は、製造容易な排水管用半割り部材及び排水管を提供することである。
【０００８】
本発明のもう１つの課題は、優れた構造的強度を有する排水管用半割り部材及び排水管を提供することである。
【０００９】
本発明の更にもう一つの課題は、運搬及び組立容易な排水管用半割り部材及び排水管を提供することである。
【課題を解決するための手段】
【００１０】
上述した課題を解決するため、本発明に係る排水管用半割り部材は、基体部と、凸部と、凹部と、接合面と、台座とを含む。前記基体部は、合成樹脂材料からなり、断面円弧形状を有する。前記凸部及び凹部は、前記基体部の内周面及び外周面において、軸方向に交互に連続し、かつ、周方向に延びている。前記接合面は、前記基体部において径方向の両端に備えられ、かつ、前記外周面の前記凹部を閉じる平面形状を有する。前記台座は、前記基体部の前記外周面上に備えられている。
【００１１】
上記の排水管用半割り部材は、複数が組み合わされて排水管として用いられる。排水管は、少なくとも２つの排水管用半割り部材と、第１の連結具とを含む。前記少なくとも２つの排水管用半割り部材は、同形状のものが用いられており、前記接合面が相対向して組み合わされて筒状体を構成し、相対向する前記内周面の相互間に中空部を有する。前記第１の連結具は、前記接合面において、隣接する排水管用半割り部材を連結している。
【発明の効果】
【００１２】
上述したように、本発明に係る排水管用半割り部材は基体部を含み、基体部は合成樹脂材料からなる。したがって、本発明に係る排水管用半割り部材は、成形及び加工が容易である。基体部は、断面円弧形状を有する。従って、排水管用半割り部材は、その複数個を、相互に重ね合わせることができ、嵩張ることがない態様で容易に運搬することができる。
【００１３】
排水管用半割り部材は、凸部と、凹部とを含む。凸部及び凹部は、基体部の内周面及び外周面において、軸方向に交互に連続し、かつ、周方向に延びる。従って、排水管用半割り部材は、優れた構造的強度を有する。また、排水管用半割り部材は、基体部が凹凸形状を有することにより、内周面に広い表面積を確保することができる。
【００１４】
本発明に係る排水管用半割り部材は接合面を含み、接合面は基体部において径方向の両端に備えられている。したがって、対の半割り部材を、接合面が互いに向き合うように突合せ、結合することにより、排水管または浸透管を構成することができる。しかも、接合面は、外周面の凹部を閉じる平面形状を有するから、接合面の面積増大の効果とともに、凹部を閉じる部分を、結合部材を通すための面積拡大部分として利用し、対の半割り部材を確実に結合できる。
【００１５】
台座は、基体部の外周面上に備えられている。従って、排水管用半割り部材、及び、これを用いた排水管は設置安定性がよく、組立または設置作業を容易に実行することができる。
【００１６】
排水管は、少なくとも２つの排水管用半割り部材と、第１の連結具とを含む。少なくとも２つの排水管用半割り部材は、同形状のものが用いられている。従って、排水管は、その製造を容易、かつ、迅速に実行しうるとともに、製造コストを低減することができる。
【００１７】
排水管用半割り部材それぞれは、接合面を有する。接合面は、基体部において径方向の両端に備えられ、かつ、外周面の凹部を閉じる平面形状を有する。従って、排水管用半割り部材を相互に上下反転して筒状体を構成した場合に、一方の排水管用半割り部材の上に、もう一つの排水管用半割り部材を安定して載置することができる。また、接合面は外周面の凹部を閉じる平面形状を有するから、凹部面内に連結具を備えることができる。
【００１８】
少なくとも２つの排水管用半割り部材は、接合面が相対向して組み合わされて筒状体を構成し、相対向する内周面の相互間に中空部を有する。排水管用半割り部材の内周面は、上述した凹凸形状により広い表面積を有するから、中空部は流下水量に対して十分な通水断面積を有することができる。
【００１９】
第１の連結具は、接合面において、隣接する排水管用半割り部材を連結している。上述したように排水管用半割り部材は、両端に接合面を有し、相互に反転して筒状体に組み合わせる場合に、一方の排水管用半割り部材の上に安定して載置することができるから、連結具の設置が容易である。また、隣接する排水管用半割り部材が安定して載置されていることにより、連結具は両者を効率的に結合しうる。従って、排水管は、優れた構造的一体性を有することができる。
【００２０】
排水管は、その結合態様において別異の連結具を含む構造により、その構成部材たる半割り部材の載置作業と、結合作業とを分離して行うことができる。従って、容易に組立作業を行うことができるとともに、施工条件に合わせた長さ寸法又は通水断面積を有する排水管を提供することができる。
【００２１】
本発明に係る排水管用半割り部材及び排水管は、好ましい１つの態様として、通水孔を有する。通水孔は、基体部の内周面から外周面に貫通している。排水管は、その基体部に通水孔を有するから、流下過程において雨水等を地中に緩やかに排出する浸透施設、または、ゴルフ場や運動場施設において水はけをよくするため敷設範囲内の雨水等を集水し、別異の雨水等貯留浸透施設等に流下させる集水施設に用いることができる。
【００２２】
上述したように排水管用半割り部材は、基体部が合成樹脂材料からなることにより、通水孔の開設に係る成形又は加工作業を容易に実行できる。従って、通水孔の設置数、さらには通水孔それぞれの径寸法を調節することにより、容易に雨水等の排出浸透量または集水量を調節することができる。
【００２３】
さらに、前記基体部の内周面及び外周面には、前記凸部及び凹部が備えられているから、通水孔の設置場所の選定作業が容易である。
【００２４】
本発明に係る排水管は、好ましいもう１つの態様として、複数の筒状体と、第２の連結具とを含む。複数の筒状体のそれぞれは、軸方向に隣接して配置されている。第２の連結具は、複数の筒状体において、それぞれ隣接する凸部を連結している。凸部は、内周面及び外周面において軸方向に交互に連続し、かつ、周方向に延びるから、上述した結合構造を、任意の場所で実行することができる。従って、排水管の連結作業を容易に実行することができる。また、任意の場所で連結することができるから、優れた構造的強度を有することができる。さらに、筒状体を任意の規模で連結できるから、排水管は、設置場所の寸法に容易に追従することができる。
【００２５】
本発明に係る排水管は、好ましいもう１つの態様として、排水管は、複数の筒状体と、第２の連結具とを含む。複数の筒状体のそれぞれは、軸方向に隣接して配置されている。
第２の連結具は、連結板と、楔とを含む。第２の連結具は、連結板がそれぞれ軸方向に隣接する凸部に載置され、かつ、楔が凸部と連結板とを貫通し、軸方向に隣接する複数の筒状体を連結している。凸部は、内周面及び外周面において軸方向に交互に連続し、かつ、周方向に延びるから、上述した結合構造を、任意の場所で実行することができる。従って、排水管の結合作業を容易に実行することができる。また、任意の場所で結合することができるから、優れた構造的強度を有することができる。さらに、筒状体を任意の規模で連結できるから、排水管は、設置場所の寸法に容易に追従することができる。
【００２６】
本発明の他の目的、構成及び利点については、添付図面を参照し、更に詳しく説明する。添付図面は、単に、例示に過ぎない。
【発明を実施するための最良の形態】
【００２７】
図１は本発明に係る排水管用半割り部材の斜視図、図２は図１に示した排水管用半割り部材の側面図、図３は図１に示した排水管用半割り部材の底面図である。図１乃至図３を参照すると、排水管用半割り部材は、基体部１０と、凸部１１と、凹部１２と、接合面１３と、台座１５とを含む。
【００２８】
基体部１０は、合成樹脂材料からなる。用いられる合成樹脂材料としては、成形容易性、加工容易性、及び、組み立て容易性の観点から、ポリプロピレン（ＰＰ）、またはポリ塩化ビニル（ＰＶＣ）等が一般的である。基体部１０は、断面円弧形状を有する。「円弧状」とは、必ずしも一定点を有する真円の円周の一部に限定されない。
【００２９】
凸部１１及び凹部１２は、基体部１０の内周面１１０及び外周面１２０に備えられ、軸ａで示す方向に交互に連続し、かつ、周方向に延びている。内周面１１０における凹部１２は、外周面１２０において凸部１１となっている。凸部１１及び凹部１２の設置数は、設計的事項に属する。例えば、排水管用半割り部材の長さ寸法や、凸部１１及び凹部１２のピッチ数、ピッチ間隔を設定することにより、凸部１１及び凹部１２の設置数を調節し得ることは自明である。
【００３０】
接合面１３は、基体部１０において、径方向の両端に備えられ、かつ、外周面１２０の凹部１２を閉じる平面形状を有し。図示する接合面１３は、凸部１１及び凹部１２と直交する平板形状を有し、その面内に連結孔１４を有している。
【００３１】
台座１５は、基体部１０の外周面上に備えられている。台座１５は、具体的には、支持部１５１、及び、脚部１５２を含む。支持部１５１は、主として、排水管用半割り部材の設置姿勢を安定化するために備えられている。また、脚部１５２は、排水管用半割り部材の設置姿勢を安定化するとともに、連続する凸部１１の相互間を架橋することにより構造的強度を向上させるために設けられている。
【００３２】
上述したように、基体部１０は合成樹脂材料で構成されているから、基体部１０の表裏両面において、交互に繰り返す条状の凸部１１及び凹部１２を成形することが容易である。しかも、基体部１０は断面円弧形状を有するから、凹凸形状を同一ピッチで成形することにより、相互に密着して重ね合わせることができ、嵩張ることがない。このため、排水管用半割り部材は運搬が容易である。
【００３３】
上述した排水管用半割り部材は、連結具と組み合わされて、排水管を構成する。次に、本発明に係る排水管について説明する。図４は本発明に係る排水管の分解構造図、図５は図４に示した排水管の斜視図である。図４及び図５に示した排水管は、半割り部材１ａ、１ｂを含む。半割り部材１ａ、１ｂのそれぞれは、図１乃至図３に示した排水管用半割り部材と同じ構造を有する。従って、図１乃至図３に図示した構成部分と同一の構成部分には、同一の参照符号を付し、重複説明を省略する。
【００３４】
図４を参照すると、半割り部材１ａは、半割り部材１ｂに対して上下反転して配置されている。２つの排水管用半割り部材１ａ、１ｂには、同形状のものが用いられている。上述した構造によると、両者を正確に組み合わせることが容易であるとともに、筒状体の製造コストを低減することができる。
【００３５】
図５を参照すると、排水管用半割り部材１ａ、１ｂは、それぞれの接合面１３が相対向して組み合わされて筒状体を構成している。接合面１３は基体部１０において径方向の両端に備えられている。したがって、半割り部材１ａ、１ｂを、接合面１３，１３が互いに向き合うように突合せ、結合することにより、排水管または浸透管のための筒状体を構成することができる。しかも、接合面１３は、外周面の凹部１２を閉じる平面形状を有するから、接合面１３の面積増大の効果とともに、凹部１２を閉じる部分を、結合部材を通すための面積拡大部分として利用し、半割り部材１ａ、１ｂを確実に結合できる。
【００３６】
半割り部材１ａ、１ｂの相対向する内周面１１０の間には、中空部３００が形成される。中空部３００は雨水等の排水空間として機能する。半割り部材１ａ、１ｂの内周面１１０は、上述した凹凸形状により広い表面積を有するから、中空部３００も雨水等の排水空間として十分な広さを有することができる。
【００３７】
排水管は、第１の連結具３１を有する。第１の連結具３１は、結合強度を確保するため硬質プラスチック、強化プラスチック、または、金属材料でなることが好ましい。第１の連結具３１は、好ましくは楔状体であって、ハンマー等の工具により打設される。より具体的に説明すると、第１の連結具３１は、重なり合う接合面１３のそれぞれの連結孔１４を貫通し、半割り部材１ａ、１ｂを結合している。連結孔１４の内径は、好ましくは第１の連結具３１の径寸法に等しいか、小さめに設定されており、第１の連結具３１を打設した場合に、両者を貫通するとともに結合する。隣接する半割り部材１ａ、１ｂが安定して載置されていることにより、接合面１３を貫通する第１の連結具３１は良好な結合力を維持することができる。従って、排水管は、優れた構造的一体性を有することができる。
【００３８】
連結孔１４は、必ずしも予め設置しておかなくともよい。例えば、非貫通孔を設けることにより、第１の連結具３１の打設位置を指定するに留めることができる。さらに、非貫通孔等を一切設けず、接合面１３の任意の箇所に第１の連結具３１を直接打ち込むこともできる。半割り部材１ａ、１ｂは、それぞれの基体部１０が合成樹脂材料でなるから、第１の連結具３１の先端形状及び材質の選定により、打設容易な第１の連結具３１を得ることができる。
【００３９】
また、第１の連結具３１は、必ずしも楔状体でなくともよい。例えば、第１の連結具３１に螺子状体を用いた場合、半割り部材１ａを貫通した一端が、半割り部材１ｂの接合面１３の内部に到達すれば、これを貫通することなく両者を結合することができる。
【００４０】
上述説明から明らかなように、排水管の組立態様は、別の連結具を有することにより、その構成部材たる半割り部材１ａ、１ｂの載置と、結合とを分離して行うことができる。従って、熟練を要することなく部材の組立を行うことができるとともに、施工条件に合わせた部材を提供することができる。例えば、第１の連結具３１の設置数を増加することにより、より優れた構造的強度を有する部材を提供しうることは自明である。図示する排水管において、排水管用半割り部材１ａは台座１６に連結孔１４を有する。
【００４１】
図６は本発明に係る排水管の別の実施例を示す斜視図、図７は図６に示した排水管の平面図、図８は図６に示した排水管の内部構造を示す断面図である。図示された排水管は、２つの筒状体３０ａ、３０ｂと、第２の連結具３２とを含む。筒状体３０ａ、３０ｂのそれぞれは、図４及び図５で示した排水管に用いられる筒状体と同じ構造を有する。第２の連結具３２は、楔３２１と、連結板３２２とを含む。
【００４２】
２つの筒状体３０ａ、３０ｂは矢印Ｘで示す縦方向に並べて配置されており、第２の連結具３２は、筒状体３０ａ、３０ｂにおいて、互いに隣接する凸部１１−１１の間に連結板３２２を配置し、凸部１１と連結板３２２とに、楔３２１を貫通させることによって、筒状体３０ａ、３０ｂを連結する。第２の連結具３２は、筒状体３０ａ、３０ｂにおいて、それぞれの凸部１１−１１の相互間に距離がある場合にも連結板３２２を差し渡すことで連結構造を有することができる。また、連結板３２２の形状及び厚みは、設置場所、必要とされる結合強度等により自由に設定することができる。
【００４３】
上記説明から明らかなように、排水管は、第２の連結具３２を用いることにより、その構成部材たる筒状体３０ａ、３０ｂの配置と、結合とを分離して行うことができる。従って、熟練を要することなく部材の組立を行うことができるとともに、施工条件に合わせた部材を提供することができる。例えば、第２の連結具３２の設置数を増加することにより、より優れた構造的強度を有する部材を提供できる。
【００４４】
図９は本発明に係る排水管用半割り部材の異なる実施例を示す斜視図、図１０は図９に示した排水管用半割り部材を組み合わせた排水管の斜視図である。
【００４５】
排水管用半割り部材は、通水孔１７を有する。通水孔１７は、基体部１０の内周面から外周面に貫通している。通水孔１７は、凸部１１または凹部１２の少なくとも一方に設ける。実施例では、通水孔１７は、凸部１１及び凹部１２の両者に設けられている。
【００４６】
図９に示した半割り部材を用いて、図１０に示す排水管を構成した場合、排水管の内部を流通する雨水等を、地中に浸透させる浸透用排水管として用いることができる。
【００４７】
図１１は図１〜１０に示した排水管用半割り部材の断面図、図１２は排水管用半割り部材の別の実施例を示す断面図である。図１１についての詳細は、図１乃至図１０を参照して説明したので省略する。
【００４８】
図１２に示す排水管用半割り部材は、図１１の場合と異なり、内周面１１０の底部に溝状部分を有する。図１２に示す構造によると、排水能力を向上することができるとともに、軽量化を図りつつ支持部１５１の成形を容易に行うことができる。
【００４９】
図１３は本発明に係る排水管を用いた排水施設を示す断面図である。排水施設は、排水管３と、マンホール４とを含む。マンホール４は、当該技術分野において周知の構成要件であるから詳細は省略する。なお、５はグランドラインを示す。
【００５０】
排水管３は、図１乃至図１０を参照して説明したものである。従って、図１乃至図１０の説明で述べた全ての利点が、上述した排水管でも得られることは明らかである。
【００５１】
以上、好ましい実施例を参照して本発明の内容を具体的に説明したが、本発明の基本的技術思想及び教示に基づいて、当業者であれば、種種の変形態様を採り得ることは自明である。
【図面の簡単な説明】
【００５２】
【図１】本発明に係る排水管用半割り部材の斜視図である。
【図２】図１に示した排水管用半割り部材の側面図である。
【図３】図１に示した排水管用半割り部材の底面図である。
【図４】本発明に係る排水管の分解構造図である。
【図５】図４に示した排水管の斜視図である。
【図６】本発明に係る排水管の別の実施例を示す斜視図である。
【図７】図６に示した排水管の平面図である。
【図８】図６に示した排水管の内部構造を示す断面図である。
【図９】本発明に係る排水管用半割り部材の別の実施例を示す斜視図である。
【図１０】図９に示した排水管用半割り部材を組み合わせた排水管の斜視図である。
【図１１】図１〜１０に示した排水管用半割り部材の断面図である。
【図１２】本発明に係る排水管用半割り部材の別の実施例を示す断面図である。
【図１３】本発明に係る排水管を用いた排水施設を示す断面図である。
【符号の説明】
【００５３】
１        排水管用半割り部材
１０      基体部
１１      凸部
１２      凹部
１３      接合面
１５      台座
１７      通水孔
【図１】
2005042381.tif 000003
【図２】
2005042381.tif 000004
【図３】
2005042381.tif 000005
【図４】
2005042381.tif 000006
【図５】
2005042381.tif 000007
【図６】
2005042381.tif 000008
【図７】
2005042381.tif 000009
【図８】
2005042381.tif 000010
【図９】
2005042381.tif 000011
【図１０】
2005042381.tif 000012
【図１１】
2005042381.tif 000013
【図１２】
2005042381.tif 000014
【図１３】
2005042381.tif 000015